(57)【要約】【課題】乗客コンベアの運転を休止することなく、その運転中に常時、スカートガードパネルの表面を自動的に清掃し、かつ潤滑剤を塗布して安全管理を良好に保つことができる乗客コンベアのパネル清掃装置を提供する。【解決手段】無限循環移動する複数のステップ１と、ステップ１の両側にそのステップ１の側面と対向して配置されるスカートガードパネル７と、ステップ１の側面上部に設けられ、ステップ１の無限循環移動に応じてスカートガードパネル７と摺接し、かつスカートガードパネル７に塗布するための潤滑剤の含浸が可能な清掃塗布部材１５と、ステップ１の無限循環移動に応じて清掃塗布部材１５に潤滑剤を補給することが可能な潤滑剤補給具２０と具備する。清掃塗布部材１５は、フェルトなどの材料からなり、ステップ１の側面上部に脱着可能に取り付けられている。【選択図】図２
2013170044.tif 000002
【特許請求の範囲】
【請求項１】
無限循環移動する複数のステップと、
前記ステップの両側にそのステップの側面と対向して配置されるスカートガードパネルと、
前記ステップの側面上部に設けられ、前記ステップの無限循環移動に応じて前記スカートガードパネルと摺接し、かつ前記スカートガードパネルに塗布するための潤滑剤の含浸が可能な清掃塗布部材と、
前記ステップの無限循環移動に応じて前記清掃塗布部材に前記潤滑剤を補給することが可能な潤滑剤補給具と、
を具備することを特徴とする乗客コンベアのパネル清掃装置。
【請求項２】
前記清掃塗布部材は、前記ステップの側面上部に脱着可能に取り付けられていることを特徴とする請求項１に記載の乗客コンベアのパネル清掃装置。
【発明の詳細な説明】
【技術分野】
【０００１】
この発明の実施形態は、エスカレータや動く歩道のように、無限循環移動して乗客を一方向に搬送するステップを備える乗客コンベアに係り、その無限循環移動するステップと隣接するスカートガードパネルを清掃するためのパネル清掃装置に関する。
【背景技術】
【０００２】
エスカレータや動く歩道のような乗客コンベアにおいては、無限循環移動するステップの両側にそのステップと隣接してスカートガードパネルが配置されている。そして、ステップの上に乗った乗客がそのステップと共に移動するときに、乗客の履物がスカートガードパネルに接触し、その接触による摩擦で履物がスカートガードパネルとステップとの間の隙間内に挟み込まれる恐れがある。特に、履物の素材が比較的軟質で摩擦係数の大きなゴム靴やサンダル類のような場合に、より挟み込まれやすい。
このため、従来においては、定期的に、あるいは必要に応じて、スカートガードパネルの表面をウエスなどの布地を用いる手作業で清掃し、かつシリコン系などの滑り性に富む潤滑剤を塗布することが行なわれている。あるいは、ステップの上に清掃塗布具を設置し、ステップを移動させながらその清掃塗布具でスカートガードパネルの表面を清掃し、潤滑剤を塗布することが行なわれている。
【先行技術文献】
【特許文献】
【０００３】
【特許文献１】特開２００３−３００６８８号公報
【発明の概要】
【発明が解決しようとする課題】
【０００４】
しかしながら、手作業による場合でも、清掃塗布具を用いる場合であっても、その作業時には、乗客コンベアの運転を休止し、作業員による人力作業を必要とし、このため乗客に対するサービス性が低下し、かつ作業コストが嵩んでしまう。そして、サービス性低下を抑えるために清掃塗布作業の頻度を少なくすれば、スカートガードパネルの滑り性が低下し、安全管理上の問題が生じてしまう。
【０００５】
この発明の実施形態は、このような点を課題としており、その目的とするところは、乗客コンベアの運転を休止することなく、その運転中に常時、スカートガードパネルの表面を自動的に清掃し、かつ潤滑剤を塗布して安全管理を良好に保つことができる乗客コンベアのパネル清掃装置を提供することにある。
【課題を解決するための手段】
【０００６】
このような課題を解決するために、請求項１の発明は、無限循環移動する複数のステップと、前記ステップの両側にそのステップの側面と対向して配置されるスカートガードパネルと、前記ステップの側面上部に設けられ、前記ステップの無限循環移動に応じて前記スカートガードパネルと摺接し、かつ前記スカートガードパネルに塗布するための潤滑剤の含浸が可能な清掃塗布部材と、前記ステップの無限循環移動に応じて前記清掃塗布部材に前記潤滑剤を補給することが可能な潤滑剤補給具とを具備することを特徴としている。
【０００７】
請求項２の発明は、前記清掃塗布部材が、前記ステップの側面上部に脱着可能に取り付けられていることを特徴としている。
【図面の簡単な説明】
【０００８】
【図１】この発明の一実施形態に係る乗客コンベアとしてのエスカレータの全体の外観を示す斜視図。
【図２】そのエスカレータの要部の構造を示す側面図。
【図３】そのエスカレータのステップを示す斜視図。
【図４】そのエスカレータのステップと清掃塗布具との配置関係を示す平面図。
【図５】その清掃塗布具の構造を示す断面図。
【発明を実施するための形態】
【０００９】
以下、この発明の一実施形態について図面を参照して説明する。
【００１０】
図１にはマンコンベアの一例であるエスカレータの全体の外観を示してある。このエスカレータは、複数のステップ１をチェーン（図示せず）を介して無端状に連結してなるステップ列２を備え、このステップ列２が建屋の上階と下階に設けられた乗降口３間に掛け渡され、前記チェーンが駆動源（図示せず）により駆動されることで各ステップ１がそのチェーンと共に上下階の乗降口３間において無限循環移動する。
【００１１】
ステップ列２の両側には欄干５が設けられ、これら欄干５の縁部にステップ１と同期して無限循環移動する手すりベルト６が装着されている。また、両欄干５の下部には例えば鋼板からなるスカートガードパネル７が配置され、これらスカートガードパネル７にステップ列２におけるステップ１の両側面が近接して対向し、ステップ１がスカートガードパネル７の長手方向に沿って移動する。
【００１２】
各ステップ１は、図３に示すように、フレーム１０と、このフレーム１０の上に水平に取り付けられた乗客乗込み用の踏板１１と、フレーム１０の前後方向の後面に湾曲して起立するように取り付けられたライザ１２とを備え、フレーム１０の両側部にはステップ１の移動用のローラ１３が回転自在に取り付けられている。
【００１３】
そして各ステップ１の両側の側面上部、つまり踏板１１の左右両側の端面には、それぞれ清掃塗布部材１５が設けられている。これら清掃塗布部材１５は、スカートガードパネル７の表面に塗布するための例えばシリコン系の潤滑剤の含浸が可能な例えばフェルトなどの材料からなり、ステップ１に対して脱着可能に取り付けられている。
【００１４】
エスカレータの各乗降口３には、乗客誘導用の乗降板１７が設けられている。無端状に連結された各ステップ１は、図２に示すように、その無限循環移動に応じて乗降板１７の下側を通る。図２は下階の乗降口３の部分において、ステップ１が上方向に運転されるときの状態を示してあり、ステップ１は鎖線で示すように、乗降板１７の下側で反転すると共に、幾つかのステップ１が乗降板１７の下側の区間でほぼ同じレベルを保って水平に移動し、乗降板１７から離れるに従がって互いに隣り合うステップ１が上下に位置をずらして段差状に並ぶ傾斜状態で移動する。なお、１８は乗降板１７の縁部に取り付けられ、ステップ１の踏板１１と噛み合うように接触するコムである。
【００１５】
乗降板１７の下側には、図２および図４に示すように、潤滑剤補給具２０が設けられている。潤滑剤補給具２０は、ステップ１の両側に位置し、かつステップ１の側面上部の清掃塗布部材１５と対応する位置に配置されている。
【００１６】
図５には潤滑剤補給具２０の構造を示してある。この潤滑剤補給具２０は、ケース２１を備え、このケース２１内に潤滑剤２２が収容されている。ケース２１内には、潤滑剤２２の液面上に位置して補給ローラ２３が支軸２４を介して垂直軸回り方向に回転自在に支持されている。補給ローラ２３の一部はケース２１に形成された開口２５を通してケース２１の外部に突出している。
【００１７】
さらに、ケース２１内には、吸込み部材２７が設けられ、この吸込み部材２７はフェルトなどの吸液性を有する材料からなり、一端部が潤滑剤２２の液中に浸漬され、他端部が補給ローラ２３の周面の一部に接触し、この吸込み部材２７により潤滑剤２２が吸上げられ、その潤滑剤２２が補給ローラ２３の周面に付着するようになっている。ケース２１の開口２５から突出した補給ローラ２３の周面一部は、ステップ１が無限循環移動するときにおけるそのステップ１の清掃塗布部材１５と接触可能な位置に配置されている。
【００１８】
次に作用について説明する。
【００１９】
エスカレータの運転時には各ステップ１が無限循環移動し、この移動に応じてステップ１が下階の乗降板１７の下側に達するときに、そのステップ１の両側の清掃塗布部材１５が潤滑剤補給具２０の補給ローラ２３に順次接触し、この接触で補給ローラ２３が回転する。補給ローラ２３には潤滑剤２２が付着されており、このため補給ローラ２３の回転に応じて清掃塗布部材１５にはその全体に均等的に潤滑剤２２が含浸される。また、補給ローラ２３の回転に応じてケース２１内の潤滑剤２２が吸込み部材２７を通して補給ローラ２３に付着される。
【００２０】
そしてステップ１がスカートガードパネル７の配置部分に達するときに、ステップ１の両側の清掃塗布部材１５がその両側のスカートガードパネル７の表面に接触して摺動し、この摺動でスカートガードパネル７の表面の汚れが清掃され、さらに潤滑剤２２が塗布される。この清掃と塗布は、各ステップ１がスカートガードパネル７の長手方向の区間を移動する間中に途切れなく行なわれる。そしてステップ１がスカートガードパネル７の区間から離れ、再び下階の乗降板１７の下側に達するときに、清掃塗布部材１５が潤滑剤補給具２０の補給ローラ２３に順次接触して潤滑剤２２が補給され、その後に再びスカートガードパネル７に接触し、清掃および塗布が行なわれる。
【００２１】
このように、エスカレータの運転中にスカートガードパネル７の表面が無限循環移動する各ステップ１を介して自動的に清掃され、かつ潤滑剤２２が塗布される。したがって、スカートガードパネル７の表面の滑り性を常時適正に保持して乗客の安全性を確保することができる。
【００２２】
そして、エスカレータの運転時にスカートガードパネル７の清掃および潤滑剤２２の塗布が自動的に行なわれるから、エスカレータの運転を休止する必要がなく、このため乗客に対するサービス性が低下せず、効率よく有効にエスカレータを運転でき、さらに清掃および潤滑剤２２の塗布を人力による作業を必要とせずに行なえるから、作業の効率化、作業費のコストダウンを図ることができる。
【００２３】
ところで、スカートガードパネル７と摺接する清掃塗布部材１５は各ステップ１に脱着可能に取り付けられており、したがって期間の経過で清掃塗布部材１５が劣化したり破損したときには、その清掃塗布部材１５を取り外し、新たな清掃塗布部材１５と交換することで、容易に修復することができる。
【００２４】
なお、前記実施形態では、各ステップ１にそれぞれ清掃塗布部材１５を取り付けたが、すべてのステップ１に取り付ける場合に限らず、例えば数個おきのステップ１に取り付けたり、一つのステップ１のみに取り付けるような場合であってもよい。すなわち、清掃塗布部材１５は複数のステップ１のうちの少なくとも一つのステップ１に取り付ければよい。
【００２５】
また、前記実施形態では、潤滑剤補給具２０を下階の乗降口３の下側に配置させたが、上階の乗降口３の下側に配置させたり、あるいは下階の乗降口３と上階の乗降口３との間の区間部分など、適宜な位置に配置させることも可能である。
【００２６】
さらに、この発明の実施形態は、エスカレータに適用する場合に限らず、乗客が乗るステップがほぼ水平に移動する動く歩道などの乗客コンベアにおいても同様に適用することが可能である。
【００２７】
すなわち、前記実施形態は、例として提示したものであり、発明の範囲を限定することは意図していない。この発明の新規な実施形態は、その他の様々な形態とすることが可能であり、発明の要旨を逸脱しない範囲で、種々の省略、置き換え、変更を行なうことができる。その実施形態やその変形は、発明の範囲や要旨に含まれるとともに、特許請求の範囲に記載された発明とその均等の範囲に含まれる。
【符号の説明】
【００２８】
１…ステップ
２…ステップ列
３…乗降口
７…スカートガードパネル
１０…フレーム
１１…踏板
１２…ライザ
１３…ローラ
１５…清掃塗布部材
１７…乗降板
２０…潤滑剤補給具
２１…ケース
２２…潤滑剤
２３…補給ローラ
２４…支軸
２５…開口
２７…吸込み部材
【図１】
2013170044.tif 000003
【図２】
2013170044.tif 000004
【図３】
2013170044.tif 000005
【図４】
2013170044.tif 000006
【図５】
2013170044.tif 000007